(57)【特許請求の範囲】
【請求項１】
容器体２の口頚部５外周に周壁８を嵌合させて装着する中栓であって、中栓本体1Aの周壁８に抜け出しを防止して下方より嵌着固定するとともに、周壁８外周に嵌合させた嵌合筒18下端縁より内方へ延設したフランジ19を介して周壁８内面下端部に係合突条９を嵌合するとともに、嵌合筒18外面上端縁より突設した指掛け片20一側端位置を縦断する薄肉破断部21を設けて開環可能に構成してなるリング部材７を備え、該部材の係合突条９を容器体口頚部５外周に周設した係止突条６に乗り越え係合させて抜け出し防止を図ったことを特徴とする合成樹脂製の中栓。
【請求項２】
上記指掛け片20の他側端位置の嵌合筒18に薄肉破断部21a を縦設してなる請求項１記載の中栓。
【請求項３】
上記係合突条９が不連続であり、上記薄肉破断部21が係合突条９非形成位置に形成されてなる請求項１記載の中栓。
【発明の詳細な説明】
【０００１】
【発明の属する技術分野】
本発明は中栓に関する。
【０００２】
【従来の技術】
容器体に装着する中栓として、口頚部外周に周壁を嵌合させて容器体に装着し、周壁内周に突設した係合突条を、口頚部外周に周設した係止突条に乗り越え係合させて抜け出しの防止を図っているものがある。これらは一旦容器体に装着したら取り外すことを考慮していないものが多く、そのため、注出口を備えた形態のものが多く、容器体或いは中栓自体に着脱自在にキャップを装着した形態のものが多い。
【０００３】
具体的な例として、周壁上端縁より延設した頂壁により容器体口頚部上端開口を被覆し、頂壁部分に注出筒を立設するとともに、注出筒内の頂壁に環状薄肉破断部により囲成された切取部を形成し、該切取部上に立設した棒状突起先端のプルリングを引き上げることにより薄肉破断部を破断して切取部を除去し、注出口を開口する如く構成したものが挙げられる。
【０００４】
【発明が解決しようとする課題】
近年では合成樹脂のリサイクル化が進み、また、廃棄処理に当たっても分別して廃棄し、処理することが行われており、その為、中栓も使用後廃棄の際には容器体から外して廃棄することが望まれている。一方、この種の中栓は使用時には容器体にしっかり嵌まっていて簡単に外れないことも当然要求される。
【０００５】
本発明は上記した点に鑑みなされたもので、使用時には容器体に対してしっかりと固定できるとともに、廃棄の際には簡単に外して分別処理を行え、また、構造が簡単で合成樹脂の一体成形が可能であるため製造が容易である等、種々の利点を有する中栓を提案するものである。
【０００６】
【課題を解決するための手段】
本請求項１発明の中栓は上記課題を解決するため、容器体２の口頚部５外周に周壁８を嵌合させて装着する中栓であって、中栓本体1Aの周壁８に抜け出しを防止して下方より嵌着固定するとともに、周壁８外周に嵌合させた嵌合筒18下端縁より内方へ延設したフランジ19を介して周壁８内面下端部に係合突条９を嵌合するとともに、嵌合筒18外面上端縁より突設した指掛け片20一側端位置を縦断する薄肉破断部21を設けて開環可能に構成してなるリング部材７を備え、該部材の係合突条９を容器体口頚部５外周に周設した係止突条６に乗り越え係合させて抜け出し防止を図ったことを特徴とする合成樹脂製の中栓として構成した。
【０００７】
また、請求項２発明の中栓は、上記指掛け片20の他側端位置の嵌合筒18に薄肉破断部21a を縦設してなる請求項１記載の中栓として構成した。
【０００８】
また、請求項３発明の中栓は、上記係合突条９が不連続であり、上記薄肉破断部21が係合突条９非形成位置に形成されてなる請求項１記載の中栓として構成した。
【０００９】
【発明の実施の形態】
以下、本発明の実施例の形態を図面を参照して説明する。
【００１０】
本発明の中栓１は、容器体２に嵌着固定して使用し、廃棄の際に容器体２より外して別々に廃棄する如く構成したものである。
【００１１】
装着する容器体２は合成樹脂，ガラス等で形成されたものが使用でき、口頚部外周に中栓係止用の係止突条を周設したものが使用できる。図示例に於ける容器体２は、胴部３より肩部４を介して口頚部５を起立しており、口頚部５外周上部には係止突条６を周設している。
【００１２】
本発明に於ける中栓１は、図示例の如く、中栓本体1Aにリング部材７を嵌着固定したもので、容器体口頚部５外周に周壁８を嵌合させ、周壁８内周面に突設した係合突条９を、口頚部５外周に周設した係止突条６に乗り越え係合させて抜け出し防止を図った形態のもので、通常容器体２に装着した後廃棄するまで外さない形態のものが挙げられ、従って、注出口を備えたもの或いは注出口となるべき部分に切取部を備えたもので、容器体或いは中栓自体に着脱自在にキャップを装着する形態のものが挙げられる。
【００１３】
図示例では、周壁８上端縁より内方へ、口頚部５上面に下面を当接する頂壁10を延設し、頂壁10上面より上端がラッパ状に広がる注出筒11を立設している。また、頂壁10裏面から下方に、容器体口頚部５内周に密嵌してここからの液の漏出を防止するためのシール筒12を垂設している。更に、注出筒11内の頂壁10には、薄肉破断線13により囲成された切取部10a を設け、該切取部10a 上面より立設した棒状突起14先端よりプルリング15を水平に延設し、該プルリング15を引き上げることにより薄肉破断線13が破断して切取部10a が除去され、注出口が開口する如く構成している。また、周壁８外周面の上部を、上向き段部16を介して僅かに小径化しており、また、内周面下端部を下向き段部17を介して肉薄に形成している。
【００１４】
リング部材７は、抜け出しを防止して周壁８下方より嵌着固定したもので、使用後に中栓本体1Aを容器体２から容易に取り外すために設けている。該部材７は、周壁８外周に嵌合させた嵌合筒18下端縁より内方へ延設したフランジ19を介して周壁８内面下端部に係合突条９を嵌合するとともに、嵌合筒18外面上端縁より突設した指掛け片20の少なくとも一側端位置を縦断する薄肉破断部21を設けて開環可能に構成している。
【００１５】
図示例に於いて嵌合筒18は、その内周面下部に突条22を周設し、該突条22を周壁８外面に形成した上向き段部16に強制的に係合させて、一旦周壁８に嵌合すると簡単に抜け出さない様に構成している。リング部材７の抜け出し防止手段としては、本実施例のものに限らず、例えば、周壁８外周面及び嵌合筒18内周面のいずれか一方に突条を周設し、他方の相対向する位置に該突条が嵌合する凹条を周設することにより行っても良い。
【００１６】
係合突条９は、口頚部５外周に周設した係止突条６に乗り越え係合させて、リング部材７の抜け出しを防止するために設けたものであり、通常の連続する円周状のものであっても良いが、図示例の如き不連続のものであっても良い。図示例では周方向に沿って等間隔に延設するとともに、周壁８の下向き段部17に嵌合する断面階段状に形成している。
【００１７】
指掛け片20は、嵌合筒18外面上端縁より外方へ突出した矩形板状をなしている。そして、掴んで引き下ろすことにより、薄肉破断部21を切断してリング部材７を開環することができる如く構成したものである。
【００１８】
薄肉破断部21は、上記した如く指掛け片20の少なくとも一側端位置を縦断するものであればよいが、図示例の如く、指掛け片20の一側端位置を縦断する薄肉破断部21と、他側端位置の嵌合筒18を縦断する薄肉破断部21a とを設けると、リング部材７の取り外しがより容易となり、ひいては中栓の取り外しがより容易となる。本発明でいう一側端位置を縦断するとは、嵌合筒18上端からフランジ19を介して係合突条９上端に至るものを意味する。但し、係合突条９を不連続に設けた場合に係合突条９が存在しない位置に薄肉破断部21を形成すると、切断の際により容易に分離できる。尚、図示例では指掛け片20の他側端位置の薄肉破断部21a を嵌合筒部分のみに設けているが、この破断部を縦断する如く構成してリング部材の一部が帯状に切断される如く構成しても良い。また、図中23はキャップを示す。
【００１９】
上記の如く構成した中栓１は、例えば、図２に示す如き中栓本体1Aに図３に示す如きリング部材７を下方より嵌着固定し、次いで、この状態の中栓１を容器体２上方からその係合突条９が係止突条６に乗り越え係合する如く打設する。使用時にはプルリング15を引いて切取部10a を除去して使用する。
【００２０】
使用後の廃棄の際には、図７に示す如く指掛け片20を引き下げて薄肉破断部21及び21a を破断すれば、図８に示す如くリング部材７が開環状態となり、容易に中栓本体1Aから取り外すことができ、次いで、中栓本体1Aを容易に容器体２から取り外す事ができる。
【００２１】
【発明の効果】
以上説明した如く本発明の中栓は、既述構成としたことにより、一旦容器体２に嵌着するとしっかりと固定され、不用意に外れる等の不都合がなく、また、廃棄の際には指掛け片20を掴んで引き下げてリング部材７を開環できるため、リング部材を周壁８から簡単に取り外すことができ、その結果、中栓を容易に容器体から取り外すことができ、分別処理を容易に行えるものである。
【００２２】
また、指掛け片20の他側端位置の嵌合筒18を縦断する薄肉破断部21a を設けてなるものにあっては、当初の嵌合筒部分の切断がより行い易く、従って、リング部材の開環がより容易に行える利点を兼ね備える。
【００２３】
更に、係合突条９が不連続であり、薄肉破断部21が係合突条９非形成位置に形成されてなるものにあっては、内面に起立する係合突条部分を破断しなくてすむため、同様により容易な開環を行える利点を兼ね備える。
【図面の簡単な説明】
【図１】本発明の一実施例を示し、容器体に装着した状態を示す縦断面図である。
【図２】同実施例の中栓本体の縦断面図である。
【図３】同実施例のリング部材の縦断面図である。
【図４】同実施例のリング部材の平面図である。
【図５】同実施例のリング部材の底面図である。
【図６】同実施例のリング部材の背面図である。
【図７】同実施例の作用を説明する縦断面図である。
【図８】同実施例の作用を説明する縦断面図である。
【図９】同実施例の開環したリング部材の平面図である。
【符号の説明】
１…中栓，1A…中栓本体，２…容器体，５…口頚部，６…係止突条，
７…リング部材，８…周壁，９…係合突条，18…嵌合筒，19…フランジ，
20…指掛け片，21…薄肉破断部，
【図１】
0003883169.tif 000002
【図２】
0003883169.tif 000003
【図３】
0003883169.tif 000004
【図４】
0003883169.tif 000005
【図５】
0003883169.tif 000006
【図６】
0003883169.tif 000007
【図７】
0003883169.tif 000008
【図８】
0003883169.tif 000009
【図９】
0003883169.tif 000010